(57)【特許請求の範囲】
【請求項１】
流体を収容するための開口部及び収容空間を含むボディーと、
前記ボディーの前記開口部を覆う蓋と、
前記ボディーの側面に設けられた加圧部と、
前記ボディーの側面の前記加圧部より所定の距離上側に離隔した位置に前記ボディーの中心軸に対して前記加圧部と所定の角度を形成するように設けられ、前記加圧部に圧力が加えられると前記収容空間から所定量の前記流体を排出するための排出部と、
前記加圧部に結合されたピストンを有し、前記加圧部に圧力が加えられると前記ピストンが往復運動することにより前記収容空間から前記排出部に所定量の前記流体を送出するためのポンプ機構と、
前記蓋の一部に形成され、前記加圧部に圧力が加えられて前記収容空間から前記排出部に所定量の前記流体が排出されると、前記収容空間の内部に空気を流入させるための空気流入部と、
を備え、
前記排出部は、ユーザーが前記加圧部に第１指が接触するように片手で前記ボディーをもって前記加圧部を前記第１指で押すと、前記ユーザーの親指の中手骨と人差し指の中手骨の間の手の甲に所定量の前記流体が落下するように位置する、
流体ディスペンサー。
【請求項２】
前記ボディーは、独立に移動可能で、底が下方を向くように直立形態で置くことが可能であり、
前記蓋は、前記ボディーの上部に形成された前記開口部を上方から密閉するように閉める、
請求項１に記載の流体ディスペンサー。
【請求項３】
前記排出部の上下方向に長型の溝で形成され、前記排出部を収納するための排出部収納溝と、
前記排出部を上下方向に所定の角度だけ回動させるための回動部と、
をさらに備え、
前記排出部を上下第１方向に回動させると前記排出部が開き、
前記排出部を上下第２方向に回動させると前記排出部が閉じる、
請求項１又は２に記載の流体ディスペンサー。
【請求項４】
前記排出部の左右方向に長型の溝で形成され、前記排出部を収納するための排出部収納溝と、
前記排出部を左右方向に所定の角度だけ回動させるための回動部と、
をさらに備え、
前記排出部を左右第１方向に回動させると前記排出部が開き、
前記排出部を左右第２方向に回動させると前記排出部が閉じる、
請求項１又は２に記載の流体ディスペンサー。
【請求項５】
前記ポンプ機構は、
前記加圧部から前記収容空間の内側に向けて延びた前記ピストンと、
前記ピストンが往復運動するためのシリンダーと、
前記加圧部に圧力が加えられて前記ピストンが前記収容空間の内側に移動すると元の位置に戻すための復元力を提供するための弾性部材と、
第１側が前記排出部に接続され、第２側が前記ボディーの底付近に位置し、途中でＴ字に分岐して前記シリンダーに接続されるパイプと、
前記パイプの前記Ｔ字に分岐される部分の前記第１側に設けられた第１チェックバルブ機構と、
前記パイプの前記Ｔ字に分岐される部分の前記第２側に設けられた第２チェックバルブ機構と
を含む、
請求項１から４のいずれか一項に記載の流体ディスペンサー。
【請求項６】
前記ボディーは、前記加圧部の周辺に凹部を含む、
請求項５に記載の流体ディスペンサー。
【請求項７】
前記凹部を開閉するための開閉部をさらに備える、
請求項６に記載の流体ディスペンサー。
【請求項８】
前記ボディーの底に形成され、前記ボディーの外側から前記中心軸に向けて下方に傾斜するように形成された傾斜面をさらに備える、
請求項１から７のいずれか一項に記載の流体ディスペンサー。
【請求項９】
前記空気流入部は、前記蓋の上部に形成された少なくとも一つの空気流入孔を含む、
請求項１から８のいずれか一項に記載の流体ディスペンサー。
【請求項１０】
前記空気流入部は、前記蓋の側壁に形成された少なくとも一つの空気流入孔を含む、
請求項１から８のいずれか一項に記載の流体ディスペンサー。
【請求項１１】
前記空気流入孔は、前記ボディーに前記蓋を閉めた状態で前記蓋を第１方向に所定の角度だけ回すと空気が通るように開放され、第２方向に所定の角度だけ回すと空気が通らないように閉鎖される、
請求項１０に記載の流体ディスペンサー。
【請求項１２】
前記空気流入孔は、前記ボディーに前記蓋を閉めた状態で前記収容空間から前記排出部に所定量の前記流体が排出されて前記収容空間の内部圧力が下がると自動に開放され、内部に空気が流入されて前記収容空間の内部圧力が大気圧と等しくなると自動に閉鎖される、
請求項１０に記載の流体ディスペンサー。
【請求項１３】
前記ポンプ機構は前記収容空間の内部に設けられている、
請求項１から１２のいずれか一項に記載の流体ディスペンサー。
【請求項１４】
前記加圧部に対して前記排出部と対称となる位置に設けられた第２排出部をさらに備える、
請求項１から１３のいずれか一項に記載の流体ディスペンサー。
【発明の詳細な説明】
【技術分野】
【０００１】
本発明は、容器の内部に収容された流体を加圧して排出する流体ディスペンサーに関する。
【背景技術】
【０００２】
ディスペンサーは、密閉された容器の内部に収容された流体（液体、クリーム、ジェルなど）を容器の内部に備えられたポンプ機構によって加圧し、一定量の流体を排出するもので、シャンプ、液体またはフォーム状の石鹸、化粧品、液体またはジェル状の殺菌剤などの容器に用いられる。
【０００３】
通常、ディスペンサーは、加圧部と排出部が容器の上部に設けられ、上部の加圧部に垂直方向に圧力を加えるとピストンが降下し、ピストンが移動する容積に該当する量の流体が排出部に排出される（特許文献１参照）。
【０００４】
一方、トリガータイプのディスペンサーは、容器の上部に設けられたノズルヘッドを銃のトリガーのように引くと、内部のピストンの移動によってトリガーを引く方向の反対方向に一定量の流体が排出される（特許文献２参照）。
【０００５】
特許文献１に記載された一般的なタイプのディスペンサーは、容器を平らな表面（床、浴室のフロア、棚など）に置いて一方の手で加圧部を押してもう一方の手のひらで排出される流体を受けて使用する。
【０００６】
特許文献２に記載されたトリガータイプのディスペンサーは、通常片手で容器をもって移動しながら内部の流体噴霧する形態で用いられるので、シャンプ、液体せっけん、化粧品、ジェルタイプの殺菌剤などの容器には適さない。
【０００７】
例えば、シャンプをするためにシャンプ容器の加圧部を押すときまたは殺菌剤を手につけるために殺菌剤容器の加圧部を押す時にやむを得ず片手しか使えない場合がある。このような場合、特許文献１に記載されたような垂直加圧タイプのディスペンサーは、加圧方向がずれたりすると容器が滑って使いづらくなることがある。
【０００８】
特に、ペットや赤ん坊の体を洗うときには一方の手で洗う対象が動かないようにしてもう一方の手でディスペンサーを扱うことが頻繁に起きるが、このような場合に片手のみで安定して加圧し、排出される流体を片手のみで確実に受けることが可能なディスペンサーが要求される。
【先行技術文献】
【特許文献】
【０００９】
【特許文献１】韓国特許公報第１０−０８４９３５６号
【特許文献２】特許第２８９２２８９号公報
【発明の概要】
【発明が解決しようとする課題】
【００１０】
本発明は上記に鑑みてなされたものであり、自由に移動可能で、片手のみで安定して加圧し、排出される流体を片手のみで確実に受けることが可能な流体ディスペンサーを提供することを一つの目的とする。
【００１１】
さらに、安全に携帯が可能で、片手のみで安定して加圧し、排出される流体を片手のみで確実に受けることが可能な流体ディスペンサーを提供することをもう一つの目的とする。
【００１２】
本発明の解決課題は以上で言及されたものに限定されず、言及されていない他の解決課題は下記の記載から当該技術分野における通常の知識を有した者に明確に理解できるであろう。
【課題を解決するための手段】
【００１３】
本発明の少なくとも一つの実施例においては、流体を収容するための開口部及び収容空間を含むボディーと、前記ボディーの前記開口部を覆う蓋と、前記ボディーの側面に設けられた加圧部と、前記ボディーの側面の前記加圧部より所定の距離上側に離隔した位置に前記ボディーの中心軸に対して前記加圧部と所定の角度を形成するように設けられ、前記加圧部に圧力が加えられると前記収容空間から所定量の前記流体を排出するための排出部と、前記収容空間の内部または前記ボディーの内壁面または壁内部に設けられ、前記加圧部に圧力が加えられると前記収容空間から前記排出部に所定量の前記流体を送出するためのポンプ機構と、前記蓋の一部に形成され、前記加圧部に圧力が加えられて前記収容空間から前記排出部に所定量の前記流体が排出されると、前記収容空間の内部に空気を流入させるための空気流入部と、を備え、前記排出部は、ユーザーが前記加圧部に第１指が接触するように片手で前記ボディーを持って前記加圧部を前記第１指で押すと、前記ユーザーの親指の中手骨と人差し指の中手骨の間の手の甲に所定量の前記流体が落下するように位置する、流体ディスペンサーを提供する。
【００１４】
本発明の少なくとも一つの実施例において、前記ボディーは、独立に移動可能で、底が下方を向くように直立形態で置くことが可能であり、前記蓋は、前記ボディーの上部に形成された前記開口部を上方から密閉するように閉める。
【００１５】
本発明の少なくとも一つの実施例において、前記流体ディスペンサーは、前記排出部の上下方向に長型の溝で形成され、前記排出部を収納するための排出部収納溝と、前記排出部を上下方向に所定の角度だけ回動させるための回動部と、をさらに備え、前記排出部を上下第１方向に回動させると前記排出部が開き、前記排出部を上下第２方向に回動させると前記排出部が閉じる。
【００１６】
本発明の少なくとも一つの実施例において、前記流体ディスペンサーは、前記排出部の左右方向に長型の溝で形成され、前記排出部を収納するための排出部収納溝と、前記排出部を左右方向に所定の角度だけ回動させるための回動部と、をさらに備え、前記排出部を左右第１方向に回動させると前記排出部が開き、前記排出部を左右第２方向に回動させると前記排出部が閉じる。
【００１７】
本発明の少なくとも一つの実施例において、前記ポンプ機構は、前記ボディーの前記中心軸に対して交差する方向に加圧するように設けられたプッシュボタンまたはトリガーと、前記プッシュボタンまたは前記トリガーに延長して形成されたピストンと、前記ピストンが往復運動するためのシリンダーと、前記プッシュボタンまたは前記トリガーに圧力が加えられて移動すると元の位置に戻すための復元力を提供するための弾性部材と、第１側が前記排出部に接続され、第２側が前記ボディーの底付近に位置し、途中でＴ字に分岐して前記シリンダーに接続されるパイプと、前記パイプの前記Ｔ字に分岐される部分の前記第１側に設けられた第１チェックバルブ機構と、前記パイプの前記Ｔ字に分岐される部分の前記第２側に設けられた第２チェックバルブ機構とを含む。
【００１８】
本発明の少なくとも一つの実施例において、前記ボディーは、前記プッシュボタンまたは前記トリガーの周辺に凹部を含む。
【００１９】
本発明の少なくとも一つの実施例において、前記流体ディスペンサーは、前記凹部を開閉するための開閉部をさらに備える。
【００２０】
本発明の少なくとも一つの実施例において、前記流体ディスペンサーは、前記ボディーの底に形成され、前記ボディーの外側から前記中心軸に向けて下方に傾斜するように形成された傾斜面をさらに備える。
【００２１】
本発明の少なくとも一つの実施例において、前記空気流入部は、前記蓋の上部に形成された少なくとも一つの空気流入孔を含む。
【００２２】
本発明の少なくとも一つの実施例において、前記空気流入部は、前記蓋の側壁に形成された少なくとも一つの空気流入孔を含む。
【００２３】
本発明の少なくとも一つの実施例において、前記空気流入孔は、前記ボディーに前記蓋を閉めた状態で前記蓋を第１方向に所定の角度だけ回すと空気が通るように開放され、第２方向に所定の角度だけ回すと空気が通らないように閉鎖される。
【００２４】
本発明の少なくとも一つの実施例において、前記空気流入孔は、前記ボディーに前記蓋を閉めた状態で前記収容空間から前記排出部に所定量の前記流体が排出されて前記収容空間の内部圧力が下がると自動に開放され、内部に空気が流入されて前記収容空間の内部圧力が大気圧と等しくなると自動に閉鎖される。
【００２５】
本発明の少なくとも一つの実施例において、前記ポンプ機構は前記収容空間の内部に設けられている。
【００２６】
本発明の少なくとも一つの実施例において、前記流体ディスペンサーは、前記加圧部に対して前記排出部と対称となる位置に設けられた第２排出部をさらに備える。
【００２７】
本明細書でそれぞれの実施例は互いに独立的に記載されているが、それぞれの実施例は相互組合せが可能であり、組合せによる実施例も本発明の権利範囲に含まれる。
【００２８】
上述した要約は単に説明のためのものであり、如何なる形でも限定を意図するものではない。上述した説明様態、実施例、及び特徴に加え、追加の様態、実施例、及び特徴が図面及び詳細な説明を参照することで明確になるはずである。
【発明の効果】
【００２９】
本発明の少なくとも一つの実施例によれば、自由に移動可能で、片手のみで安定して加圧し、排出される流体を片手のみで確実に受けることが可能な流体ディスペンサーを提供できるという効果を奏する。
【００３０】
本発明の少なくとも一つの実施例によれば、安全に携帯が可能で、片手のみで安定して加圧し、排出される流体を片手のみで確実に受けることが可能な流体ディスペンサーを提供できるという効果を奏する。
【００３１】
本発明の効果は以上で言及されたものなどに限定されず、言及されていない他の効果は下記の記載から当該技術分野における通常の知識を有した者に明確に理解できるはずである。
【図面の簡単な説明】
【００３２】
【図１】本発明の少なくとも一つの実施例に係る流体ディスペンサーの斜視図である。
【図２】本発明の少なくとも一つの実施例に係る流体ディスペンサーの上側平面図である。
【図３】本発明の少なくとも一つの実施例に係る流体ディスペンサーの使用例を示す斜視図である。
【図４】本発明の少なくとも一つの実施例に係る流体ディスペンサーの斜視図である。
【図５】本発明の少なくとも一つの実施例に係る流体ディスペンサーの斜視図である。
【図６】本発明の少なくとも一つの実施例に係る流体ディスペンサーの斜視図である。
【図７】本発明の少なくとも一つの実施例に係る流体ディスペンサーの斜視図である。
【図８】本発明の少なくとも一つの実施例に係る流体ディスペンサーの側断面図である。
【図９】本発明の少なくとも一つの実施例に係る流体ディスペンサーの側断面図である。
【図１０】本発明の少なくとも一つの実施例に係る流体ディスペンサーの上部側断面図である。
【図１１】本発明の少なくとも一つの実施例に係る流体ディスペンサーの上部側断面図である。
【図１２】本発明の少なくとも一つの実施例に係る流体ディスペンサーの上部拡大側断面図である。
【図１３】本発明の少なくとも一つの実施例に係る流体ディスペンサーの上部拡大側断面図である。
【発明を実施するための形態】
【００３３】
以下、添付図面を参照し、本発明の少なくとも一つの実施例に係る流体ディスペンサーについて詳しく説明する。
【００３４】
図１は、本発明の少なくとも一つの実施例に係る流体ディスペンサー１００の斜視図である。図２は、図１に示す流体ディスペンサー１００の上側平面図である。
【００３５】
図１及び図２に示すように、本発明の少なくとも一つの実施例に係る流体ディスペンサー１００は、流体を収容するための開口部１１１及び収容空間１１２を含むボディー１１０と、ボディー１１０の開口部１１１を覆う蓋１２０（例えば、閉めるための蓋１２０）と、ボディー１１０の側面に設けられた加圧部１３０とボディー１１０の側面の加圧部１３０より所定の距離ｄだけ上方に離隔した位置にボディー１１０の中心軸Ｃに対して加圧部１３０と所定の角度θを形成するように設けられ、加圧部１３０に圧力が加えられると収容空間１１２から所定量の流体を排出するための排出部１４０と、収容空間１１２の内部またはボディー１１０の内壁面または壁内部に設けられ、加圧部１３０に圧力が加えられると収容空間１１２から排出部１４０に所定量の流体を送出するためのポンプ機構（図８及び図９参照）と、蓋１２０の一部に形成され、加圧部１３０に圧力が加えられて収容空間１１２から排出部１４０に所定量の流体が排出されると、収容空間１１２の内部に空気を流入させるための空気流入部（図８ないし図１３参照）で構成される。
【００３６】
即ち、加圧部１３０と排出部１４０は、図１及び図２に示すように、上下方向には所定の距離ｄだけ離隔され、上側から見て円周方向にはボディー１１０の中心軸Ｃを中心に加圧部１３０からボディー１１０の中心を通る線ａ１と排出部１４０からボディー１１０の中心を通る線ａ２が所定の角度θを形成するように位置する。排出部１４０は、ボディー１１０の側面の周方向において角度θだけ離れた位置に設けられている。
【００３７】
図３は、本発明の少なくとも一つの実施例に係る流体ディスペンサー１００の使用例を示す斜視図である。
【００３８】
図３に示すように、排出部１４０は、ユーザーが加圧部１３０に第１指が接触するように片手３１０でボディー１１０を持ち、加圧部１３０を矢印Ａ１の方向にボディー１１０の中心に向けて第１指で押すと、ユーザーの親指の中手骨３１１と人差し指の中手骨３１２の間の手の甲に所定量の流体３１３が落下するように位置する。
【００３９】
即ち、図３に示す例では、ユーザーが加圧部１３０に親指が接触するように片手３１０でボディー１１０を持って加圧部１３０を矢印Ａ１の方向にボディー１１０の中心に向けて親指で押すと、ユーザーの親指の中手骨３１１と人差し指の中手骨３１２の間の手の甲に所定量の流体３１３が落下するので、もう一つの手を使いづらい時に片手のみで安定して加圧部１３０を加圧し、落下する流体を確実に受けて使用することができる。
【００４０】
図１ないし図３に示す例では右手利きの使用例を示しているが、左手利きの場合は、加圧部１３０を排出部１４０に対して対称となる位置に設けるか、排出部１４０を加圧部１３０に対して対称となる位置に設けるか、または排出部１４０に対して対称となる位置に二つの加圧部１３０を設けるか、加圧部１３０に対して対象となる二つの排出部１４０を設けることで右手利きと同様に使用することができる。
【００４１】
このように、本発明の少なくとも一つの実施例に係る流体ディスペンサー１００は、ボディー１１０を独立に移動可能であり、底が下を向いて直立形態に置かれ、蓋１２０はボディー１１０の上部に形成された開口部１１１を上方から密閉するように閉まる構造を有する。
【００４２】
図４は、本発明の少なくとも一つの実施例に係る流体ディスペンサー４００の斜視図である。図５は、本発明の少なくとも一つの実施例に係る流体ディスペンサー５００の斜視図である。図６は、本発明の少なくとも一つの実施例に係る流体ディスペンサー６００の斜視図である。図７は、本発明の少なくとも一つの実施例に係る流体ディスペンサー７００の斜視図である。
【００４３】
本発明の少なくとも一つの実施例において、図4に示すように、流体ディスペンサー４００は、排出部１４０の上側及び下側の少なくとも一つの方向に長型の溝で形成され、排出部１４０を収納するための排出部収納溝４１０及び排出部１４０を上下方向に所定の角度だけ回動させるための回動部４２０をさらに備える。
【００４４】
即ち、排出部１４０を上下第１方向（図４に示す例では下方向）に回動させると排出部１４０が開いて加圧部１３０を押すと流体が排出され、排出部１４０を上下第２方向（図４に示す例では上方向）に回動させると排出部１４０が閉じて加圧部１３０を押しても内部圧力によって加圧部１３０が押されなくなり、または押されても排出部１４０が閉じているので流体が排出されなくなる。
【００４５】
本発明の少なくとも一つの実施例において、図5に示すように、流体ディスペンサー５００は、ボディー１１０の中心軸Ｃに交差する方向（左右方向）に長型の溝で形成され、排出部１４０を収納するための排出部収納溝５１０及び排出部１４０を左右方向に所定の角度だけ回動させるための回動部５２０をさらに備える。
【００４６】
即ち、排出部１４０を左右の第１方向（図５に示す例では右方向）に回動させると排出部１４０が開いて加圧部１３０を押すと流体が排出され、排出部１４０を左右の第２方向（図５に示す例では左方向）に回動させると排出部１４０が閉じて加圧部１３０を押しても内部圧力によって加圧部１３０が押されなくなり、または押されても排出部１４０が閉じているので流体が排出されなくなる。
【００４７】
本発明の少なくとも一つの実施例において、図６に示すように、流体ディスペンサー６００は、加圧部１３０の周辺に形成された凹部６１０をさらに備える。
【００４８】
ボディー１１０に凹部６１０を形成することで、加圧部１３０の外側面とボディー１１０の外側面が同等になり、携帯時に何かの物体に当たって加圧部１３０が押されることを防止することができる。
【００４９】
本発明の少なくとも一つの実施例において、流体ディスペンサー６００は、凹部６１０を開閉するための開閉部６２０をさらに備える。
【００５０】
開閉部６２０は、凹部６１０の外側を上下または左右方向にスライディング可能に構成され、例えば図６に示す例では使用時に上方にスライディングさせて加圧部１３０が露出されるようにし、使用しないときには下方にスライディングさせて加圧部１３０が設けられた凹部６１０の外側を閉鎖して加圧部１３０が外部に露出されないようにする。
【００５１】
従って、開閉部６２０を閉めることで携帯時に何かの物体に当たって加圧部１３０が押されることをより確実に防止することができる。
【００５２】
本発明の少なくとも一つの実施例において、図７に示すように、流体ディスペンサー７００は、プッシュボタンタイプの加圧部１３０の代わりにトリガー７３０を備える。
【００５３】
図６に示す流体ディスペンサー６００と同様に、ボディー１１０に凹部７１０を形成し、凹部７１０内にトリガー７３０を設けることでより使いやすく構成することができる。
【００５４】
図８及び図９は、本発明の少なくとも一つの実施例に係る流体ディスペンサーの側断面図である。
【００５５】
本発明の少なくとも一つの実施例において、図８に示すように、ポンプ機構は、ボディー１１０の中心軸Ｃに対して交差する方向に加圧するように形成されたプッシュボタン１３０またはトリガー７３０、プッシュボタン１３０またはトリガー７３０に延長形成されたピストン８２０、ピストン８２０が往復運動するためのシリンダー８３０、プッシュボタン１３０またはトリガー７３０に圧力が加えられて押されると元の位置に戻すための復元力を提供するための弾性部材８４０、第1側が排出部１４０に接続され、第２側がボディー１１０の底付近に位置して途中でＴ字に分岐されてシリンダー８３０に接続されるパイプ８５０、パイプ８５０のＴ字に分岐する部分の第1側に設けられた第１チェックバルブ機構８６０、及びパイプ８５０のＴ字に分岐する部分の第２側に設けられた第２チェックバルブ機構８７０を含む。
【００５６】
即ち、プッシュボタン１３０またはトリガー７３０をボディー１１０の中心軸Ｃに向けて押すとピストン８２０が加圧されてシリンダー８３０の奥まで移動し、このとき発生する圧力によって第２チェックバルブ機構８７０は閉じて第１チェックバルブ機構８６０が開いて排出部１４０に流路が形成され、プッシュボタン１３０またはトリガー７３０を放すと弾性部材８４０の弾性力によってピストン８２０が元の位置に移動し、この時に発生する圧力によって第１チェックバルブ機構８６０は閉じて第２チェックバルブ機構８７０が開いて収容空間１１２から所定量の流体がパイプ８５０内に流入される。
【００５７】
パイプ８５０内に流入された流体がパイプ８５０内に溜まると、プッシュボタン１３０またはトリガー７３０を押すと、このとき発生する圧力によって第２チェックバルブ機構８７０は閉じて第１チェックバルブ機構８６０が開いて排出部１４０に一定量の流体が排出される。
【００５８】
第１チェックバルブ機構８６０及び第２チェックバルブ機構８７０には、一般的なポンプ式ディスペンサーに用いられるチェックバルブ構造（例えば、ダイアフラム、チェックボール構造など）を用いることができる。
【００５９】
図９に示すように、本発明の少なくとも一つの実施例に係る流体ディスペンサーは、ボディー１１０の底に形成され、ボディー１１０の外側から中心軸Ｃに向けて下に行くほど傾斜するように形成された傾斜面９１０をさらに備える。
【００６０】
ボディー１１０の底にボディー１１０の外側から中心軸Ｃに向けて下に行くほど傾斜するように形成された傾斜面９１０を設けることで、ボディー１１０の内部に収容された流体の量が底まで減少しても残らずに使うことができる。
【００６１】
図８及び図９に示すように、本発明の少なくとも一つの実施例に係る空気流入部は、蓋１２０の上部に形成された少なくとも一つの空気流入孔９１０を含む。
【００６２】
空気流入孔９１０は、加圧部１３０に圧力が加えられて収容空間１１２から排出部１４０に所定量の流体が排出されると、排出された流体に該当する量の空気を収容空間１１２の内部に流入させるためのものである。
【００６３】
空気流入孔９１０の大きさは、内部の流体は通さないで空気のみを通す程度の大きさであることが望ましい。
【００６４】
図１０及び図１１は、本発明の少なくとも一つの実施例に係る流体ディスペンサーの上部側断面図である。
【００６５】
本発明の少なくとも一つの実施例において、加圧部１３０に圧力が加えられて収容空間１１２から排出部１４０に所定量の流体が排出されると、排出された流体に該当する量の空気を収容空間１１２の内部に流入させるための空気流入部は、蓋１２０の側壁に形成された少なくとも一つの空気流入孔１０１０、１１１０を含む。
【００６６】
図１０に示す空気流入孔１０１０は、蓋１２０を回らなくなるまで閉めるとボディー１１０の上端１０２０が空気流入孔１０１０を防ぐ位置まで到達し、空気流入孔１０１０を介してボディー１１０内部の流体が漏れることを防止できるので、携帯時にボディー１１０からの流体の漏出による事故を防止することができる。
【００６７】
例えば、図１に示す空気流入孔１０１０は、ボディー１１０に蓋１２０を閉めた状態で蓋１２０を第１方向に所定の角度回すと空気が通るように開放され、第２方向に所定の角度回すと空気が通らないように閉鎖される。
【００６８】
図１１に示す空気流入孔１１１０は、ボディー１１０に蓋１２０を閉めた状態で収容空間１１２から排出部１４０に所定量の流体が排出されて収容空間１１２の内部圧力が下がると自動に開放され、内部に空気が流入されて収容空間１１２の内部圧力が大気圧と等しくなると自動に閉鎖されるように構成される。
【００６９】
図１２及び図１３は、本発明の少なくとも一つの実施例に係る流体ディスペンサーの上部拡大側断面図で、図１１に示す空気流入孔１１１０の動作を示す概略図である。
【００７０】
図１２に示すように、蓋１２０の壁面には所定の大きさの空気吸入孔１１１３が形成され、空気吸入孔１１１３にはピン１１１１がスライディング可能に挿入され、ピン１１１１の蓋１２０の内側末端には吸盤が設けられ、ピン１１１１には弾性部材であるスプリング１１１２がはめられる。
【００７１】
ピン１１１１の蓋１２０の外側末端はリベットヘッドの形状で形成され、スプリング１１１２がピン１１１１の外側末端と吸盤の間で抜けずに収縮及び伸張が可能となる。
【００７２】
この際、空気吸入孔１１１３の直径はスプリング１１１２及びピン１１１１の外側末端の直径より小さく形成される。さらに、ピン１１１１が空気吸入孔１１１３の内部で自由に往復し、ピン１１１１と空気吸入孔１１１３の間に空気が通る所定の空間が形成されるように、空気吸入孔１１１３の直径はピン１１１１の外側末端を除いた直径より大きく形成される。
【００７３】
ボディー１１０内部の圧力が大気圧以上の通常圧力（平常時、即ち大気圧）の状態で空気吸入部は、図１２に示すように、スプリング１１１２の張力によって吸盤が内壁に密着して空気吸入孔１１１３を密閉する。従って、この状態では空気吸入孔１１１３を介して空気が通らなくなる。
【００７４】
加圧部１３０に圧力が加えられて収容空間１１２から排出部１４０に所定量の流体が排出されると、内部の圧力が低圧状態になり、図１３に示すように、吸盤を引く力がスプリング１１１２の弾性力を超えるとピン１１１１が内側に引かれるので、空気吸入孔１１１３とピン１１１１の間の空間を介して矢印の方向にボディー１１０内部に空気が注入される。
【００７５】
空気の注入によってボディー１１０の内部圧力が再び通常圧力に戻ると、スプリング１１１２の弾性力によってピン１１１１が壁面側に引かれて蓋１２０の内壁に再び密着するようになるので、ボディー１１０の内部に空気がそれ以上注入されなくなる。
【００７６】
本明細書の実施例では弾性力を提供するための弾性部材としてスプリングを用いているが、本発明はこれに限定されず、弾性力を有するゴム、シリコン、プラスチックなどの物質を弾性部材として用いることができる。
【００７７】
本発明の少なくとも一つの実施例において、図８及び図９に示したポンプ機構は、収容空間１１２の内部またはボディー１１０の内壁面または壁内部に形成することができる。
【００７８】
以上で説明した例では右手利きの使用例を示しているが、左手利きと右手利きが共に使用できるように加圧部１３０に対して中心軸Ｃを中心に対称する位置に排出部１４０をさらに備えることができる。
【００７９】
本発明の少なくとも一つの実施例において、一方の手の不自由なユーザーのために、蓋１２０をワンタッチで開閉できる構造にしても良い。
【００８０】
以上説明したように、本発明の少なくとも一つの実施例によれば、自由に移動可能で、片手のみで安定して加圧し、排出される流体を片手のみで確実に受けることが可能な流体ディスペンサーを提供することができる。
【００８１】
さらに、本発明の少なくとも一つの実施例によれば、安全に携帯が可能で、片手のみで安定して加圧し、排出される流体を片手のみで確実に受けることが可能な流体ディスペンサーを提供することができる。
【００８２】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００８３】
１００、４００、５００、６００、７００：流体ディスペンサー
１１０：ボディー部
１１１：開口部
１１２：収容空間
１２０：蓋
１３０：加圧部
１４０：排出部
３１０：手
３１１：親指の中手骨
３１２：人差し指の中手骨
３１３：流体
４１０、５１０：排出部収納溝
４２０、５２０： 回動部
６１０、７１０：凹部
６２０：開閉部
７３０：トリガー
８１０：空気流入部（空気流入孔）
８２０：ピストン
８３０：シリンダー
８４０：弾性部材
８５０：パイプ
８６０：第１チェックバルブ機構
８７０：第２チェックバルブ機構
９１０：傾斜面
１０１０、１１１０：空気流入孔
１０２０：ボディー上端
１１１１：ピン
１１１２：弾性部材（スプリング）
１１１３：空気吸入孔
【要約】
【課題】自由に移動可能で、片手のみで安定して加圧し、排出される流体を片手のみで確実に受けることが可能な流体ディスペンサーを提供する。
【解決手段】流体ディスペンサーは、流体を収容するための開口部及び収容空間を含むボディーと、ボディーの開口部を覆う蓋と、ボディーの側面に設けられた加圧部と、ボディーの側面の加圧部より所定の距離上側に離隔した位置にボディーの中心軸に対して加圧部と所定の角度を形成するように設けられ、加圧部に圧力が加えられると収容空間から所定量の流体を排出するための排出部と、収容空間の内部またはボディーの内壁面または壁内部に設けられ、加圧部に圧力が加えられると収容空間から排出部に所定量の流体を送出するためのポンプ機構と、蓋の一部に形成され、加圧部に圧力が加えられて収容空間から排出部に所定量の流体が排出されると、収容空間の内部に空気を流入させるための空気流入部と、を備える。
【選択図】図１【図１】
0006816325.tif 000002
【図２】
0006816325.tif 000003
【図３】
0006816325.tif 000004
【図４】
0006816325.tif 000005
【図５】
0006816325.tif 000006
【図６】
0006816325.tif 000007
【図７】
0006816325.tif 000008
【図８】
0006816325.tif 000009
【図９】
0006816325.tif 000010
【図１０】
0006816325.tif 000011
【図１１】
0006816325.tif 000012
【図１２】
0006816325.tif 000013
【図１３】
0006816325.tif 000014